(57)【特許請求の範囲】
【請求項１】
タッチパネルを操作するペン入力コンピュータであって、
表示画面上の任意の座標位置において、同一座標のペン入力回数を変えることにより、マウスクリックの操作切り替えにおける、マウスの右クリック操作と左クリック操作との切り替えを行うペン入力コンピュータ。
【請求項２】
右クリック操作での次のペン入力操作で左クリック操作に戻る制御手段を備える、請求項１に記載のペン入力コンピュータ。
【発明の詳細な説明】
【０００１】
【発明の属する技術分野】
本発明はタッチパネルを操作するペン入力コンピュータに関する。
【０００２】
【従来の技術】
従来、タッチパネルを操作するペン入力コンピュータにおいて、座標入力はペンを押すという単一の動作しか行えないために、マウスの左右クリック操作を切り替える場合は、ディスプレイ表示領域外にタッチパネルキーを設けて、使用者がその座標領域に対してペンを押すことでマウスのクリック操作切り替えをエミュレートするか、もしくは、あらかじめディスプレイ表示領域内に切り替えのためのアイコン画面を設けて、使用者がその座標領域に対してペンを押すことでクリック操作の切り替えをエミュレートしていた。どちらの場合もあらかじめ切り替え操作のための入力座標範囲がわかっているために、ペンが押されたときの入力座標を検出し比較することで、切り替えを行っていた。
【０００３】
図４は、従来の座標検出方法による左右クリック操作の切り替えを行うペン入力コンピュータの概観図であり、図４（ａ）は、ディスプレイ表示領域外にタッチキーを設けたペン入力コンピュータであり、図４（ｂ）は、ディスプレイ表示領域内に切り替え操作用のアイコン画面を設けたペン入力コンピュータである。
【０００４】
図４（ａ）において、１はタッチパネル操作領域を、２はディスプレイ表示領域を、３は入力ペンを、４はタッチキー領域を、５は左クリック選択用タッチキーを、６は右クリック選択用タッチキーを示している。
【０００５】
図４（ｂ）において、１はタッチパネル操作領域を、２はディスプレイ表示領域を、３は入力ペンを、７は操作用アイコン領域を、８は左クリック選択用アイコンを、９は右クリック選択用アイコンを示している。
【０００６】
図５は、従来のクリック操作切り替え手段である。
図５において、１０は座標記憶手段を、１１は座標比較手段を、１２は判定手段を示している。
【０００７】
図５を用いて従来例の説明を行う。
入力ペン３で右クリック選択用タッチキー６の領域を押すことで、入力座標が検出される。入力座標は座標記憶手段１０に一旦格納され、座標比較手段１１によってあらかじめ設定された右クリック選択用タッチキー５の座標領域データと入力座標が比較され、一致するかどうかを比較する。判定手段１２は比較結果と入力座標から、右クリック選択用タッチキー５の入力であるかどうかを判定する。
【０００８】
また、アイコンを用いた場合も同様の手順で入力座標の判定を行う。
図６は、従来の右クリック操作解除の手順のフローチャートである。
【０００９】
図６において、１５は右クリック設定を、１６は入力座標検出を、１７は入力座標有効判定を、１８は左クリック操作選択判定を、１９は入力指示実行を、２０は右クリック操作解除を示している。
【００１０】
図６を用いて従来の右クリック操作解除手順を説明する。
判定手段１２によって、右マウス操作モードが設定される（ステップ１５）。引き続いて座標の入力（ステップ１６）があると、この入力座標が右マウス操作モード時に開かれたウィンドウ内の指示画面（図示しない）に押された座標であるかどうかを判定し、入力座標が無効であると判定された場合は、ステップ１６に移動し次の座標入力を待ち、入力座標が有効であると判定された場合は、ステップ１８へ移動する（ステップ１７）。
【００１１】
次に左クリック操作選択判定を行い（ステップ１８）、選択されてないと判断した場合は、入力座標に基づいた指示内容（例えば、右クリック操作で開かれたウィンドウ内の指示された内容）を実行する（ステップ１９）。左クリック操作が選択されたと判断された場合は、左クリック操作が設定されると同時に右クリック操作が解除される（ステップ２０）。右クリック操作が解除されない限り、右クリック操作の設定は維持される。
【００１２】
【発明が解決しようとする課題】
従来のペン入力コンピュータは、マウスのクリック操作を切り替えるときにいちいち特定領域にペンを移動させなければならず、またコマンドを実行した後、ペンの操作が右クリック操作を保持しているのか、左クリック操作を保持しているのかわからなくなる場合があり、特別な入力方法の伴わない簡単なクリック操作の切り替え方法が望まれていた。
【００１３】
本発明は、使用者がペン入力位置を気にすることなく、また右クリック操作の解除をその都度行う必要がないことを目的とする。
【００１４】
【課題を解決するための手段】
この課題を解決するために、本発明はペンを任意の位置でタッチした状態で一定時間内のタッチ回数を検知し判別することで、左右のクリック操作を切り替えられるように構成したものである。
【００１５】
これにより、使用者は、ペンを特定領域に移動させることなく、任意の位置においてマウスクリックの操作を変更することができ、操作性の向上を図ることができる。
【００１６】
また、右クリック操作の次の座標入力で右クリック操作を解除することで、使用者がクリック操作を戻す必要がないので、さらに操作性の向上を図ることができる。
【００１７】
【発明の実施の形態】
本発明の請求項２に記載のペン入力コンピュータは、表示画面上の任意の座標位置において、同一座標のペン入力回数を変えることにより、マウスクリックの操作切り替えにおける、マウスの右クリック操作と左クリック操作との切り替えを行うペン入力コンピュータであって、同一座標における一定時間内のペンタッチ回数を検出し、操作モードの変更を実行する手段を備える構成としたものであり、座標記憶手段と、タイマー監視手段と、座標比較手段と、座標一致カウンタ手段と、判定手段を備え、一定時間に同一座標のタッチ入力検出が設定回数以上あった場合は、右クリック操作へ移行するという作用を有する。
【００１８】
また、請求項２に記載のペン入力コンピュータは、請求項１に記載のペン入力コンピュータにおいて、右クリック操作での次のペン入力操作で左クリック操作に戻る制御手段を備えるように構成したペン入力コンピュータであって、右クリックの操作が終了後、次のペン入力操作で自動的に左クリックの操作に戻るという作用を有する。
【００１９】
以下、本発明の実施の形態について、図１から図３を用いて説明する。
（実施の形態１）
図１は、本発明の実施の形態１および２に係るペン入力コンピュータの概観図を示し、図１において、１はタッチパネル操作領域、２はディスプレイ表示領域、３は入力ペンであり、入力ペン３を用いて、タッチパネル操作領域１の任意の位置をタッチ操作することで、座標の入力を行う。
【００２０】
図２は、同実施の形態１におけるクリック操作切り替え手段を示す図であり、図２において、１０は座標記憶手段、１１は座標比較手段、１２は判定手段、１３はタイマー監視手段、１４は座標一致カウンタを示す。１０から１４の各手段は、入力座標によるマウス操作の判定を行うものであり、ドライバソフトウェアで構成される。
【００２１】
図２を用いて本発明の実施の形態１における動作について説明する。
入力ペン３でタッチパネル操作領域１を押すことで、入力座標が検出される。この入力座標（座標Ａとする）は、座標記憶手段１０に一時記憶される。引き続き入力された入力座標（座標Ｂとする）と座標記憶手段１０に格納された座標Ａを、座標比較手段１１で比較する。同一座標と判定された場合、座標一致カウンタ１４にカウントアップを指示し、座標一致カウンタ１４によってタイマー監視手段１３へタイム計測開始を指示する。タイマー監視手段１３は計測を開始してから、あらかじめ設定しておいた時間以内に次の入力がない場合は、座標一致カウンタ１４に座標一致カウント数の送出を促す。判定手段１２は座標比較手段１１の比較結果と、座標一致カウンタ１４のカウント数から、ダブルクリック操作であると判定し、座標一致カウンタ１４をクリアする。
【００２２】
タイマー監視手段１３が計測を開始してから設定時間内に入力があった場合は、座標比較手段１１で入力座標（座標Ｃとする）と座標Ａ、座標Ｂとの比較を行い、同一座標と判断した場合は、座標一致カウンタ１４にカウントアップを指示し、座標一致カウンタ１４はタイマー監視手段を停止する。判定手段１２は座標比較手段１１の比較結果と座標一致カウンタ１４のカウント数から、同一座標の入力が例えば３回あったと判断し、右クリック操作であると判定し、座標一致カウンタ１４をクリアする。
【００２３】
以上説明したように、本実施の形態１によれば、使用者はペンの入力位置を変えずに同一座標で設定回数を入力すればマウスクリックの操作切替を行うことができ、操作性が向上するとともに、表示領域外にタッチキーを設ける必要もなく、また、アプリケーションプログラムによって、表示領域内にマウスクリック選択用のアイコンを表示させる必要がないために、安価なペン入力コンピュータを提供することができる。
【００２４】
（実施の形態２）
図３は、本発明の実施の形態２に係る右クリック操作解除手順のフローチャートである。
【００２５】
以下、図２及び図３を用いて右クリック操作解除動作について説明する。
判定手段１２によって、右マウス操作モードが設定される（ステップ１５）。引き続いて座標の入力を検出すると（ステップ１６）、この入力座標が右マウス操作モード時に開かれたウィンドウ内の入力指示画面（図示しない）に押された座標であるかどうかを判定し、入力座標が無効であると判定された場合は、次の座標入力を待つためにステップ１６へ移行し、入力座標が有効であると判定された場合はステップ１９へ移行する（ステップ１７）。入力座標が有効の場合、入力座標に基づいた指示内容（例えば、右クリック操作で開かれたウィンドウ内の指示された内容）を実行する（ステップ１９）。このとき、右クリック操作が解除される（ステップ２０）。
【００２６】
以上説明したように、本実施の形態２によれば、使用者は、現在のマウスクリックの操作設定を気にする必要がなく、またその都度右マウスクリック選択の解除を行う必要がないので快適な操作性を提供できる。
【００２７】
【発明の効果】
以上のように本発明によれば、マウスカーソルの左右クリック操作を切り替えたいときに、使用者はペン位置を移動させる必要なく、切り替えを行うことができる。また、今右操作か左操作か気にする必要なく、右操作する場合のみ、ペンタッチの方法を変えればよいので、その都度左クリック操作に戻す必要がないという有利な効果が得られる。また、ソフトウェアプログラムに関しては、アプリケーションソフトウェアプログラムの違いに関係なく、ドライバーソフトウェアプログラムの変更のみで済むために、工数が少なくて済む作用を持つ。
【図面の簡単な説明】
【図１】本発明の実施の形態１および２に係るペン入力コンピュータの概観図
【図２】本発明の実施の形態１および２に係るペン入力コンピュータのクリック操作切り替え手段の構成図
【図３】本発明の実施の形態２に係るペン入力コンピュータの右クリック操作解除手順のフローチャート
【図４】従来のペン入力コンピュータの概観図
【図５】従来のペン入力コンピュータのクリック操作切り替え手段の構成図
【図６】従来のペン入力コンピュータの右クリック操作解除手順のフローチャート
【符号の説明】
１  タッチパネル操作領域
２  ディスプレイ表示領域
３  入力ペン
１０  座標記憶手段
１１  座標比較手段
１２  判定手段
１３  タイマー監視手段
１４  座標一致カウンタ
【図１】
0004038870.tif 000002
【図２】
0004038870.tif 000003
【図３】
0004038870.tif 000004
【図４】
0004038870.tif 000005
【図５】
0004038870.tif 000006
【図６】
0004038870.tif 000007